(57)【要約】【課題】蓋板と側板に亘って破断線を形成した場合でも、後処理の際には、簡単に壊して扁平状態とすることができる包装箱を提供する。【解決手段】胴部１０を構成する側板１１〜１４に連設して形成した蓋板の一方を内蓋板３０と外蓋板４０とから形成すると共に、側板１２に形成した押切用破断線４５と外蓋板４０の各側縁４０ａに至るように形成した切開用破断線４３とを連続させて形成し、また、内蓋板３０には、外蓋板４０に重ねられた状態で切開用破断線４３とほぼ重なる部位に易折曲線３３を形成した。外蓋板４０を側板１２から切り離した後に側板１２に残される外蓋板切れ残り部４２に内蓋板３０の先端側の両側部が当接しても、内蓋板３０の先端側両側部に形成した易折曲片３２が易折曲線３３に沿って折り曲げられるので、内蓋板３０が外蓋板４０の開封動作に抵抗することなく、外蓋板４０及び内蓋板３０をスムーズに開放することができる。【選択図】図３
0003120064.tif 000002
【実用新案登録請求の範囲】
【請求項１】
四枚の側板１１〜１４から四角筒状に形成された胴部１０と、該胴部１０の片側開口部を閉鎖するように、前記側板１１、１２に連設して形成した一対の蓋板３０、４０とからなり、前記側板１２と前記蓋板４０に、前記側板１２から前記蓋板４０に亘って連続する破断線を形成した包装箱において、
前記一対の蓋板は、前記側板１１に内蓋板折目３１を介して連設して形成した内蓋板３０と、該内蓋板３０に重ねて貼着され、前記側板１２に外蓋板折目４１を介して連設して形成した外蓋板４０とからなり、
前記破断線は、前記外蓋板折目４１に沿って折り曲げられる押切部４４を区画するように、前記側板１２側に突出させて形成した押切用破断線４５と、前記外蓋板４０に形成され、前記押切用破断線４５の両端からそれぞれ連続して前記外蓋板４０の各側縁４０ａに至るように形成した切開用破断線４３と、からなり、
また、前記内蓋板３０には、前記外蓋板４０に重ねて貼着された状態で、前記切開用破断線４３とほぼ重なる部位に易折曲線３３を形成したことを特徴とする包装箱。
【請求項２】
前記内蓋板３０及び前記外蓋板４０は、それぞれ前記胴部１０の開口部のほぼ全面を閉鎖する大きさに形成されていることを特徴とする請求項１に記載の包装箱。
【請求項３】
前記易折曲線３３は、破断可能に形成したことを特徴とする請求項１または２に記載の包装箱。
【請求項４】
前記切開用破断線４３は、前記外蓋板４０と前記内蓋板３０との貼着部分に干渉しない部位に形成したことを特徴とする請求項１〜３のいずれかに記載の包装箱。
【請求項５】
四枚の側板１１〜１４から四角筒状に形成された胴部１０と、該胴部１０の両側開口部をそれぞれ閉鎖するように、前記側板１１及び／又は１２に連設して形成した蓋板とからなる包装箱において、
前記蓋板の内、一方の前記蓋板は、前記側板１１に内蓋板折目３１を介して連設して形成した内蓋板３０と、該内蓋板３０に重ねて貼着され、前記側板１２に外蓋板折目４１を介して連設して形成した外蓋板４０とからなり、
前記側板１２には、前記外蓋板折目４１に沿って折り曲げられる押切部４４を区画するように、前記側板１２側に突出させて押切用破断線４５を形成すると共に、前記外蓋板４０には、前記押切用破断線４５の両端からそれぞれ連続して前記外蓋板４０の各側縁４０ａに至るように切開用破断線４３を形成し、
また、前記内蓋板３０には、前記外蓋板４０に重ねて貼着された状態で、前記切開用破断線４３とほぼ重なる部位に易折曲線３３を形成し、
一方、前記蓋板の内、他方の前記蓋板には、再施蓋可能な蓋部２１、差込部２２、ジッパー部２３、貼着部２４を順次連設して形成したことを特徴とする包装箱。
【請求項６】
前記内蓋板３０及び前記外蓋板４０は、それぞれ前記胴部１０の開口部のほぼ全面を閉鎖する大きさに形成されていることを特徴とする請求項５に記載の包装箱。
【請求項７】
前記易折曲線３３は、破断可能に形成したことを特徴とする請求項５または６に記載の包装箱。
【請求項８】
前記切開用破断線４３は、前記外蓋板４０と前記内蓋板３０との貼着部分に干渉しない部位に形成したことを特徴とする請求項５〜７のいずれかに記載の包装箱。
【考案の詳細な説明】
【技術分野】
【０００１】
本考案は、板紙や厚紙などのシート材から形成された包装箱に関するものであり、特に、使用した後に廃棄する際に、簡単に押し潰して扁平状態に折り畳んで廃棄することができる包装箱に関する。
【背景技術】
【０００２】
従来から、各種の物品を収容する包装箱を形成する場合に、後処理が容易となるように胴部を構成する側板や胴部に連接される蓋部にミシン目などの破断線を形成して、廃棄する際に破断線に沿って壊すことができる包装箱が種々開発され、実用化されている。
【０００３】
そして、後処理が容易となるようにミシン目などの破断線を側板に形成した従来の包装箱として、特許文献１には、角筒状に配設した４枚の側板からなる胴部と、この胴部の上端開口の周縁部に連設した蓋部と、各側板の下部に連設した底フラップ同士を互いに組み合わせて形成した底部とからなり、互いに対向する一対の側板の各下部に連出した底フラップ同士を貼り合わせて連結すると共に、他の側板の各下部に連出した底フラップはいずれも他の底フラップに貼り合わせることなく内方へ折り込み、他の側板の下端縁の両端部間には易破断線を設けないのに対し、一対の側板には少なくとも一方の側板の下端縁の両端部間にのみ、その両端部同士を結ぶ易破断線を設け、この易破断線の中間部の内の少なくとも一部を上方に突出させて側板内に入り込ませ、易破断線と側板下端縁との間に押破部を形成した包装箱が開示されている。
【０００４】
また、後処理が容易となるようにミシン目などの破断線を側板と蓋部に連続するように形成した従来の包装箱として、特許文献２には、各側面に連接し内側に折られた端面フラップを有し、これら端面フラップの外側に、底面に連接し内側に折られた上面まで至らない高さの底面側端面片と、上面に連接し底面まで至らない高さの上面側端面片とを重ねて、底面側端面片と上面側端面片とを貼り合わせ、底面側端面片と底面との連接縁上または上面側端面片と上面との連接縁上の離間する二点を起点として底面または上面に対し、二点を繋ぐ膨出線形状の押込用ミシン目を形成すると共に、起点のそれぞれより底面側端面片または上面側端面片の各側辺に至る切開用ミシン目を形成した折り畳み自在のティシュカートンが開示されている。
【０００５】
さらに、後処理が容易となるようにミシン目などの破断線を側板と蓋部に連続するように形成した従来の包装箱として、特許文献３には、切れ目の入った紙状体を多面体状に折り畳んで成形され、所定応力を加えると切れ目が破断し、大半の面積が開口する開口面を少なくとも１面有し、１本の稜線を介して開口面に隣接する初期開口面には、その境界稜線上で手指の幅程度の間隔をおいて配置された２端点を結ぶ略弧状の押切用切れ目を備え、その押切用切れ目を周とする初期開口部を手指で押圧することで押切用切れ目を破断させて初期開口を行うようにし、開口面には、初期開口面の押切用切れ目に連続して、境界稜線と略垂直に若干延伸した案内切れ目と、その案内切れ目に連続して、境界稜線に隣接する開口面の側辺近傍まで達した切開用切れ目とを備え、案内切れ目及び切開用切れ目を周とする開口部を拡開することで案内切れ目及び切開用切れ目を破断させて開口を行うようにした易開封性包装箱が開示されている。
【特許文献１】実用新案登録第２６０６７８９号公報
【特許文献２】特許第３６５３３０１号公報
【特許文献３】特開２００３−２３１５１８号公報
【考案の開示】
【考案が解決しようとする課題】
【０００６】
特許文献１の包装箱は、使用後の廃棄処理が容易な包装箱を形成するために、少なくとも一方の側板の下端縁の両端部間のみに両端部同士を結ぶ易破断線を設け、この易破断線の中間部の一部を上方に突出させて側板内に入り込ませて、易破断線と側板下端縁との間に押破部を形成して、押破部を押圧するだけで易破断線を破断して、底部を側板から分離するようにしているが、易破断線は側板の下端縁の両端部を結ぶように側板の全幅に亘って形成されているため、包装箱に上下方向の力が作用した場合、易破断線の部位に力が集中して、包装箱の強度を十分に保持することができないおそれがある。
特に、包装箱の使用中に、易破断線の一部が破損した場合には、易破断線の破損部位に力が集中して、包装箱の強度を十分に保持することはできない。
【０００７】
また、使用後の廃棄処理を考慮して、折り畳み処理をさらに向上させるようにした包装箱として、特許文献２には、折り畳み用ミシン目を側板と蓋板とに亘って形成したティッシュカートンが開示されている。
しかしながら、特許文献２の折り畳み自在のティッシュカートンでは、ミシン目は底面側端面片と底面に、すなわち、包装箱の内蓋板と側面に亘って形成されており、底面側端面片（内蓋板）に重ねて貼着される上面側端面片（外蓋板）と底面（側板）に亘ってミシン目を形成することは考慮されておらずさらに改善する余地がある。
【０００８】
さらに、特許文献２のティッシュカートンと同様に、切れ目を側板と蓋板とに亘って形成することが特許文献３に開示されている。しかしながら、特許文献３の易開封性包装箱も、特許文献２の折り畳み自在のティッシュカートンと同様に、押切用切れ目及び切開用切れ目は小側面用開口側平面側片と開口側平面に、すなわち、包装箱の内蓋板と側面に亘って形成されており、小側面用開口側平面側片（内蓋板）重ねて貼着される小側面用展示側平面側片（外蓋板）と展示側平面（側面）に亘って押切用切れ目及び切開用切れ目を形成することは考慮されておらず改善する余地が残されている。
【０００９】
本考案は、上述したような従来の事情に鑑みてなされたものであり、包装箱の蓋板と側板に亘って破断線を形成した場合でも、使用後の後処理の際には、簡単に壊して扁平状態とすることができると共に、使用中の強度を確実に維持できるように構成した包装箱を提供することを目的とする。
【課題を解決するための手段】
【００１０】
上記課題を達成するために、請求項１に記載の包装箱に係る考案は、四枚の側板１１〜１４から四角筒状に形成された胴部１０と、該胴部１０の片側開口部を閉鎖するように、前記側板１１、１２に連設して形成した一対の蓋板３０，４０とからなり、前記側板１２と前記蓋板４０に、前記側板１２から前記蓋板４０に亘って連続する破断線を形成した包装箱において、前記一対の蓋板は、前記側板１１に内蓋板折目３１を介して連設して形成した内蓋板３０と、該内蓋板３０に重ねて貼着され、前記側板１２に外蓋板折目４１を介して連設して形成した外蓋板４０とからなり、前記破断線は、前記外蓋板折目４１に沿って折り曲げられる押切部４４を区画するように、前記側板１２側に突出させて形成した押切用破断線４５と、前記外蓋板４０に形成され、前記押切用破断線４５の両端からそれぞれ連続して前記外蓋板４０の各側縁４０ａに至るように形成した切開用破断線４３と、からなり、また、前記内蓋板３０には、前記外蓋板４０に重ねて貼着された状態で、前記切開用破断線４３とほぼ重なる部位に易折曲線３３を形成したことを特徴とする。
【００１１】
また、上記課題を達成するために、請求項２に記載の包装箱に係る考案は、請求項１に記載の考案において、前記内蓋板３０及び前記外蓋板４０は、それぞれ前記胴部１０の開口部のほぼ全面を閉鎖する大きさに形成されていることを特徴とする。
【００１２】
さらに、上記課題を達成するために、請求項３に記載の包装箱に係る考案は、請求項１または２に記載の考案において、前記易折曲線３３は、破断可能に形成したことを特徴とする。
【００１３】
さらに、上記課題を達成するために、請求項４に記載の包装箱に係る考案は、請求項１〜３のいずれかに記載の考案において、前記切開用破断線４３は、前記外蓋板４０と前記内蓋板３０との貼着部分に干渉しない部位に形成したことを特徴とする。
【００１４】
上記課題を達成するために、請求項５に記載の包装箱に係る考案は、四枚の側板１１〜１４から四角筒状に形成された胴部１０と、該胴部１０の両側開口部をそれぞれ閉鎖するように、前記側板１１及び／または１２に連設して形成した蓋板とからなる包装箱において、前記蓋板の内、一方の前記蓋板は、前記側板１１に内蓋板折目３１を介して連設して形成した内蓋板３０と、該内蓋板３０に重ねて貼着され、前記側板１２に外蓋板折目４１を介して連設して形成した外蓋板４０とからなり、前記側板１２には、前記外蓋板折目４１に沿って折り曲げられる押切部４４を区画するように、前記側板１２側に突出させて押切用破断線４５を形成すると共に、前記外蓋板４０には、前記押切用破断線４５の両端からそれぞれ連続して前記外蓋板４０の各側縁４０ａに至るように切開用破断線４３を形成し、また、前記内蓋板３０には、前記外蓋板４０に重ねて貼着された状態で、前記切開用破断線４３とほぼ重なる部位に易折曲線３３を形成し、一方、前記蓋板の内、他方の前記蓋板には、再施蓋可能な蓋部２１、差込部２２、ジッパー部２３、貼着部２４を順次連設して形成したことを特徴とする。
【００１５】
また、上記課題を達成するために、請求項６に記載の包装箱に係る考案は、請求項５に記載の考案において、前記内蓋板３０及び前記外蓋板４０は、それぞれ前記胴部１０の開口部のほぼ全面を閉鎖する大きさに形成されていることを特徴とする。
【００１６】
さらに、上記課題を達成するために、請求項７に記載の包装箱に係る考案は、請求項５または６に記載の考案において、前記易折曲線３３は、破断可能に形成したことを特徴とする。
【００１７】
さらに、上記課題を達成するために、請求項８に記載の包装箱に係る考案は、請求項５〜７のいずれかに記載の考案において、前記切開用破断線４３は、前記外蓋板４０と前記内蓋板３０との貼着部分に干渉しない部位に形成したことを特徴とする。
【００１８】
本考案は、基本的には以上の事項を特徴とするものであるが、包装箱の胴部の片側開口部を閉鎖する一対の蓋板の外蓋板の大きさは、折り返し方向において、胴部の開口部のほぼ半分以上を閉鎖する大きさに形成してもよい。
また、外蓋板を内蓋板に貼着するだけでもよいが、さらに、内蓋板を左右側板折込片に開封時に容易に引き剥がすことができる程度に貼着してもよい。
さらに、包装箱の胴部の両側開口部を閉鎖する蓋板のうち、上記の内蓋板と外蓋板とからなる一対の蓋板でない他方の蓋板は、ジッパー部と貼着部だけで構成してもよい。その場合には、側板に指掛け用切欠部を形成しなくてもよい。
なお、本考案は、四角筒状に形成された胴体を備えた包装箱を対象としているが、他の多角筒状の胴体を備えた包装箱を対象としてもよい。また、包装箱を形成する素材は、厚紙や板紙などのシート材だけでなく、破断可能なプラスチック製シート材などを利用してもよい。
【考案の効果】
【００１９】
請求項１に記載の包装箱に係る考案によれば、包装箱を形成する一対の蓋板を内蓋板と外蓋板とから形成して、外蓋板と側板に亘って破断線を形成した場合でも、使用後の包装箱の後処理の際には、側板に形成した押切用破断線と外蓋板に形成した切開用破断線を連続して破断することにより、包装箱を簡単に壊して扁平状態とすることができる。
この場合、内蓋板には、外蓋板に重ねて貼着された状態で外蓋板の切開用破断線とほぼ重なる部位に易折曲線が形成されているので、外蓋板を側板から破断して切り離す動作中に側板に残される外蓋板切れ残り部が内蓋板の先端側の両側部に当接しても、内蓋板の先端側両側部に形成した易折曲片が易折曲線に沿って折り曲げられるので、内蓋板が外蓋板の開封動作に抵抗することなく、外蓋板を内蓋板と一緒にスムーズに開放することができる。
【００２０】
また、請求項２記載の包装箱に係る考案によれば、請求項１の効果に加えて、内蓋板及び外蓋板は胴部の開口部のほぼ全面を閉鎖する大きさに形成されているので、外蓋板と開口部との間の隙間が、内蓋板の先端部両側部に形成した易折曲片により塞がれ、外蓋板と開口部との間の隙間から異物が侵入することを防止することができる。
【００２１】
さらに、請求項３記載の包装箱に係る考案によれば、請求項１または２の効果に加えて、外蓋板が内蓋板にしっかりと貼着されている場合でも、外蓋板と一緒に内蓋板の易折曲線が破断されるので、外蓋板を内蓋板と一緒にスムーズに開放することができる。
【００２２】
さらに、請求項４に記載の包装箱に係る考案によれば、請求項１〜３のいずれかの効果に加えて、外蓋板と内蓋板との貼着部分を破断しようとする場合のように、破断に要する力が大きくなり、切り離しが困難となるという事態を回避することができる。
【００２３】
請求項５に記載の包装箱に係る考案によれば、一方の蓋板を、内蓋板と外蓋板とから形成して、外蓋板と側板に亘って破断線を形成した場合でも、使用後の包装箱の後処理の際には、側板に形成した押切用破断線と外蓋板に形成した切開用破断線を連続して破断することにより、包装箱を簡単に壊して扁平状態とすることができる。
この場合、内蓋板には、外蓋板に重ねて貼着された状態で外蓋板の切開用破断線とほぼ重なる部位に易折曲線が形成されているので、外蓋板を側板から破断して切り離す動作中に側板に残される外蓋板切れ残り部が内蓋板の先端側の両側部に当接しても、内蓋板の先端側両側部に形成した易折曲片が易折曲線に沿って折り曲げられるので、内蓋板が外蓋板の開封動作に抵抗することなく、外蓋板を内蓋板と一緒にスムーズに開放することができる。
また、他方の蓋板を、再施蓋可能な蓋部、差込部、ジッパー部、貼着部を順次連設して形成したので、包装箱の開封後に、再施蓋可能な蓋部と差込部を利用して包装箱を再使用することが可能となる。
【００２４】
また、請求項６記載の包装箱に係る考案によれば、請求項５の効果に加えて、内蓋板及び外蓋板は胴部の開口部のほぼ全面を閉鎖する大きさに形成されているので、外蓋板と開口部との間の隙間が、内蓋板の先端部両側部に形成した易折曲片により塞がれ、外蓋板と開口部との間の隙間から異物が侵入することを防止することができる。
【００２５】
さらに、請求項７記載の包装箱に係る考案によれば、請求項５または６の効果に加えて、外蓋板が内蓋板にしっかりと貼着されている場合でも、外蓋板と一緒に内蓋板の易折曲線が破断されるので、外蓋板を内蓋板と一緒にスムーズに開放することができる。
【００２６】
さらに、請求項８に記載の包装箱に係る考案によれば、請求項５〜７のいずれかの効果に加えて、外蓋板と内蓋板との貼着部分を破断しようとする場合のように、破断に要する力が大きくなり、切り離しが困難となるという事態を回避することができる。
【考案を実施するための最良の形態】
【００２７】
以下、本考案の第一の実施の形態に係る包装箱を図１〜図４に基づいて説明する。
本考案の第一の実施の形態に係る包装箱は、図１に示すように展開した厚紙や板紙などのシート材を、図２に示すように、各折目１６、１７、２６、３１、４１に沿って折り曲げて細長い四角筒状の胴部１０を形成した後、胴部１０の開口部のほぼ全面を閉鎖する大きさに形成した内蓋板３０及び外蓋板４０は、内蓋板３０に外蓋板４０を重ねて、外蓋板４０の切開用破断線４３を形成した部位を除いた部分、すなわち、外蓋板４０の切開用破断線４３を形成した部位よりも先端側の部分を内蓋板３０の対応する部分に貼着して組み立てて使用する。
この場合、内蓋板３０は、左右側板折込片１３ａ、１４ａに貼着してもよいし、貼着しなくてもよいが、貼着した方が包装箱の強度がさらに向上して、重量のある物品でも収納することができる。また、貼着しないときは少ない力で開放することができる。
【００２８】
そして、本考案の第一の実施の形態に係る包装箱は、図２に示すように組み立てた状態から開封する際には、まず、ジッパー部２３を開封用破断線２５に沿って破断して切り離して、蓋部２１と差込部２２を胴部１０から開放する。次に、包装箱を再使用する場合には、包装箱内に収納した物品を取り出した後、差込部２２を胴部１０の開口部に差し込んで、蓋部２１により包装箱の開口部を再施蓋して、繰り返し使用することができるものである。
また、包装箱内に収納した物品を取り出した後、包装箱を廃棄する場合には、図３に示すように、押切部４４を手指（通常は親指）で押圧して、押切用破断線４５に沿って押切部４４を胴部１０の内部に押し込むと、押切部４４は押切部折目４６に沿って折り曲げられる。その後、押切部４４と押切部折目４６に親指を引っ掛けたまま、胴部１０の長手方向外側に向けて外蓋板４０を引っ張ることにより、外蓋板４０が切開用破断線４３に沿って破断して切り離されて、外蓋板４０に貼着した内蓋板３０と一緒に外蓋板４０を胴部１０から開放する。その後、さらに、図４に示すように、胴部１０を扁平に折り畳んで廃棄することができるものである。
【００２９】
さらに、本考案の第一の実施の形態に係る包装箱は、外蓋板４０を切開用破断線４３に沿って破断する際に、内蓋板３０には、外蓋板４０の切開用破断線４３にほぼ重なる部位に易折曲線３３が形成されているので、内蓋板３０の先端側の両側に形成した易折曲片３２が、外蓋板４０の切れ残り部４２に当接した際に、易折曲片３２が易折曲線３３に沿って折り曲げられて、外蓋板４０の開封動作に抵抗することなくスムーズに開放できるように構成されている。
また、内蓋板３０に外蓋板４０を重ねて貼着した場合、内蓋板３０及び外蓋板４０は胴部１０の開口部のほぼ全面を閉鎖する大きさに形成され、外蓋板４０と胴部１０の開口部との間の隙間が、内蓋板３０の先端部両側部に形成した易折曲片３２により塞がれるため、外蓋板４０と胴部１０の開口部との間の隙間から異物が侵入することがない。
以下、本考案の第一の実施の形態に係る包装箱を、添付した図１〜４に付した符号を用いて詳細に説明する。
【００３０】
図１は、本考案の第一の実施の形態に係る包装箱を形成するシート材の展開状態を示す図であり、このシート材は、板紙や厚紙などの紙材、或は、プラスチック製シート材などから構成されている。
そして、展開状態のシート材は、包装箱の胴部１０を形成する前側板（側板）１１、右側板（側板）１３、後側板（側板）１２及び左側板（側板）１４が、この順番で連接して形成されている。また、前側板１１には、貼着板１５が連設して形成されており、前側板１１、右側板１３、後側板１２、左側板１４及び貼着板１５は、それぞれ胴部折目１６に沿って折り曲げられ、貼着板１５を左側板１４に貼り合せることにより、図２に示すような四角筒状の細長い胴部１０が形成される。
【００３１】
また、前側板１１には、その一端側に内蓋板３０が内蓋板折目３１を介して連設して形成されており、前側板１１の他端側には、蓋部２１が蓋部折目２６を介して連接して形成されている。
内蓋板３０は胴部１０の開口部のほぼ全面を閉鎖する大きさに形成されており、また、内蓋板３０には、その先端側の両端部に易折曲片３２がそれぞれ易折曲線３３を介して連接して形成されている。各易折曲線３３は、後述する外蓋板４０に形成した切開用破断線４３とほぼ同じ形状で切開用破断線４３とほぼ重なるように形成され、外蓋板４０の切開用破断線４３を破断して切り離した際に、外蓋板４０の開封動作に連動して、各易折曲片３２を折り曲げることができるように形成されている。この易折曲線３３は、連続した切れ目状の破断線や、非孔部分を連続して形成した凹溝形状の折曲線で形成することができる。
また、蓋部折目２６を介して前側板１１に連接された蓋部２１には、差込部２２、ジッパー部２３及び貼着部２４がこの順番に連接して形成されている。蓋部２１と差込部２２は差込部折目２７を介して連接して形成されており、また、差込部２２及び貼着部２４は、差込部２２と貼着部２４との間に配設したジッパー部２３に、それぞれ連続して形成された切れ目状の開封用破断線２５を介して連接して形成されている。
【００３２】
後側板１２には、その一端側に外蓋板４０が外蓋板折目４１を介して連接して形成されており、また、後側板１２の他端側には、指掛け用切欠部５０が後側板１２に入り込むように凹設して形成されている。この指掛け用切欠部５０は、包装箱を開封した後に包装箱を再使用する場合、再施蓋した蓋部２１を開く際に、親指等の手指の先を差込部２２に掛けて蓋部２１を開くことができるような大きさに形成されている。
また、後側板１２には、外蓋板折目４１、すなわち、外蓋板折目４１に連続した押切部折目４６に沿って折り曲げられる押切部４４を形成するために、後側板１２に入り込むようにほぼ弧状で、連続した切れ目状の押切用破断線４５が形成されている。この押切用破断線４５は、手指（通常は親指）の先を押切用破断線４５に押し込んで、押切部４４を胴部１０内に押し込むことができる程度以上の幅に形成されている。
【００３３】
さらに、外蓋板４０は胴部１０の開口部のほぼ全面を閉鎖する大きさに形成されており、また、この外蓋板４０には、押切用破断線４５の両端からそれぞれ連続して外側板４０の各側縁４０ａに至るように連続した切れ目状の切開用破断線４３が、末広がり状に形成されている。切開用破断線４３は、外蓋板４０を内蓋板３０に重ねて貼着した際に、外蓋板４０と内蓋板３０との貼着部分、すなわち、外蓋板４０の切開用破断線４３を形成した部位よりも先端側の部分と内蓋板３０の対応する部分に干渉しないように形成される。また、外蓋板４０には、押切部折目４６を除く外蓋板折目４１と切開用破断線４３との間に、一対のほぼ三角形状の外蓋切れ残り部４２が形成されている。この一対の外蓋切れ残り部４２を形成することにより、押切用破断線４５と切開用破断線４３とから形成される破断線４３、４５がほぼ山形状に形成されるため、包装箱の開封作業が容易となり、図４に示すように、包装箱を扁平状に簡単に折り畳むことができる。
また、右側板１３には、その両側にそれぞれ右側板折込片１３ａが、さらに、左側板１４には、その両側にそれぞれ左側板折込片１４ａが、それぞれ側板折込片折目１７を介して連接して形成されている。
【００３４】
次に、本考案の第一の実施の形態に係る包装箱の組み立て方法について説明する。
本考案の第一の実施の形態に係る包装箱は、以下の手順で組み立てられる。
（１）まず、図１に示すような展開状態に形成したシート材を、各胴部折目１６に沿って      折り曲げて、貼着板１５を左側板１４に貼り着けて、四枚の側板１１〜１４から四      角筒状の胴部１０を形成する。
（２）次に、右側板１３の各右側板折込片１３ａ及び左側板１４の各左側板折込片１４ａ      を、胴部１０の各開口部を覆うように各側板折込片折目１７に沿って折り曲げる。      
（３）次に、内蓋板３０を内蓋板折目３１に沿って胴部１０の開口部を覆うように折り曲      げて、この内蓋板３０を右側板折込片１３ａと左側板折込片１４ａに貼り着ける。      なお、内蓋板３０を右側板折込片１３ａ及び左側板折込片１４ａに貼り着ける手順      は省略してもよい。
（４）次に、外蓋板４０を外蓋板折目４１に沿って胴部１０の開口部を覆うように折り曲      げて、外蓋板４０の先端側、すなわち、切開用破断線４３を形成した部位よりも先      端側の外蓋板４０の部分を内蓋板３０に貼り着ける。
（５）最後に、蓋部２１を蓋部折目２６に沿って胴部１０の開口部を覆うように折り曲げ      ると共に、差込部２２を差込部折目２７に沿って折り曲げて、貼着部２４を後側板      １２に貼り着ける。その結果、図２に示すような包装箱が組み立てられる。
なお、内蓋板３０及び外蓋板４０を貼り着ける前に、或は、貼着部２４を貼り着ける前に、胴部１０内に物品を収納しておく。
【００３５】
次に、本考案の第一の実施の形態に係る包装箱の使用法について説明する。
まず、包装箱を開封する場合には、図２に示す状態から、ジッパー部２３の端部を指で把持して、ジッパー部２３を開封用破断線２５に沿って破断して取り除く。
すると、図３に示すように、差込部２２が貼着部２４から切り離されて、蓋部２１が開放されて自由状態となり、包装箱の胴部１０内に収納した物品を取り出すことができる。
その後、包装箱内に収納した物品を取り出した後に、取り出した物品を再度包装箱内に収納する場合には、差込部２２を胴部１０に差し込んで、蓋部２１により包装箱の開口部を再施蓋することにより包装箱を繰り返して使用することができる。
そして、再施蓋した包装箱の蓋部２１を再度開く場合には、指掛け用切欠部５０の位置の差込部２２に親指の先を掛けて、差込部２２を胴部１０の長手方向の外側へ向けて押し開くことにより、蓋部２１を開くことができる。
【００３６】
次に、本考案の第一の実施の形態に係る包装箱の折り畳み方法について説明する。
本考案の第一の実施の形態に係る包装箱は、以下の手順で折り畳んで廃棄できる状態にすることができる。
（１）まず、図３に示すように、後側板１２の他端部に形成した指掛け用切欠部５０の位      置の差込部２２に親指の先を掛けて、差込部２２を胴部１０の長手方向の外側へ向      けて押し開いて、蓋部２１を開放した状態とする。
（２）次に、後側板１２の一端部に形成した押切部４４に親指を当てて、親指の先を押切      用破断線４５に沿って押し込んで、押切部４４を胴部１０内に押し込む。
（３）この状態から、押切部４４を胴部１０内に押し込んだ状態の親指で、外蓋板４０を      胴部１０の長手方向の外側に向けて押し広げると、外蓋板４０に形成した切開用破      断線４３が破断して切り離されて、一対の外蓋切れ残り部４２が後側板１２に残さ      れた状態で、外蓋板４０が後側板１２から切り離される。
（４）その後、さらに、外蓋板４０を、胴部１０の長手方向の外側に向けて押し広げるこ      とにより、内蓋板３０と左右側板折込片１３ａ、１４ａとの貼着部分が引き剥がさ      れて、図３に示すように、外蓋板４０は内蓋板３０に貼着された状態で、後側板１      ２から完全に切り離される。なお、内蓋板３０と左右側板折込片１３ａ、１４ａと      が貼着されていないときは、より少ない力で容易に開封することができる。
（５）この外蓋板４０を後側板１２から切り離す際に、一対の外蓋切れ残り部４２が後側      板１２に残されるため、外蓋板４０に貼着された内蓋板３０の先端部両側が、一対      の外蓋切れ残り部４２に当接して、外蓋板４０を後側板１２から切り離す力に抵抗      しようとするが、内蓋板３０の先端部両側に易折目線３３に沿って折り曲げられる      易折曲片３２が形成されているので、外蓋板４０の胴部１０の長手方向外側への移      動に伴なって、内蓋板３０の易折曲片３２も折り曲げられて、外蓋板４０の開封動      作に抵抗することなく、外蓋板４０を後側板１２からスムーズに切り離すことがで      きる。
（６）最後に、図４に示すように、胴部１０を扁平状態に折り畳んで、包装箱を廃棄でき      る状態にすることができる。
【００３７】
次に、本考案の第二の実施の形態に係る包装箱を図５〜図８に基づいて説明する。
本考案の第二の実施の形態に係る包装箱は、図１〜図４に示す第一の実施の形態に係る包装箱と基本的に同じ部材から構成されており、前側板（側板）１１と後側板（側板）１２がほぼ方形状に形成され、それに伴なって内蓋板３０、外蓋板４０及び開閉蓋板（２１，２２，２３，２４）の形状が設定されている。
そして、本考案の第二の実施の形態に係る包装箱は、図５に示すように展開した厚紙や板紙などのシート材を、図６に示すように、各折目１６、１７、２６、２７、３１、４１に沿って折り曲げた後、胴部１０の開口部のほぼ全面を閉鎖する大きさに形成した内蓋板３０及び外蓋板４０は、内蓋板３０に外蓋板４０を重ねて、外蓋板４０の切開用破断線４３を形成した部位を除いた部分、すなわち、外蓋板４０の切開用破断線４３を形成した部位よりも先端側の部分を内蓋板３０の対応する部分に貼着して組み立てるものである。
また、第一の実施の形態に係る包装箱と同様に、内蓋板３０は、左右側板折込片１３ａ、１４ａに貼着してもよいし、貼着しなくてもよいが、貼着した方が包装箱の強度がさらに向上して、重量のある物品でも収納することができる。また、貼着しないときは少ない力で開放することができる。
【００３８】
そして、第二の実施の形態に係る包装箱も、図６に示すように組み立てた後に使用する際には、ジッパー部２３を開封用破断線２５に沿って破断して切り離して、蓋部２１と差込部２２を胴部１０から開放して、包装箱内に収納した物品を取り出した後、必要に応じて、差込部２２を胴部１０に差し込んで、蓋部２１により包装箱の開口部を再施蓋して、繰り返し使用できるものである。
また、包装箱内に収納した物品を取り出した後、包装箱を廃棄する場合には、図７に示すように、押切部４４を親指で押圧して、押切用破断線４５に沿って押切部４４を胴部１０の内部に押し込んだ後、押切部折目４６に親指を引っ掛けたまま、外蓋板４０を胴部１０のの長手方向外側に向けて引っ張ることにより、外蓋板４０が切開用破断線４３に沿って破断して切り離され、外蓋板４０に貼着した内蓋板３０と一緒に外蓋板４０を胴部１０の開口部から開放して、さらに、図８に示すように、胴部１０を扁平に折り畳んで廃棄できるものである。
そして、本考案の第二の実施の形態に係る包装箱も、外蓋板４０を切開用破断線４３に沿って破断する際に、内蓋板３０には、外蓋板４０の切開用破断線４３にほぼ重なる部位に易折曲線３３が形成されているので、外蓋板４０を後側板１２から切り離す際に、外蓋板４０の切れ残り部４２に内蓋板３０の易折曲片３２が当接しても、易折曲片３２が易折曲線３３に沿って折れ曲がって、抵抗することなくスムーズに開放できるように構成されている。
また、第一の実施の形態に係る包装箱と同様に、内蓋板３０に外蓋板４０を重ねて貼着した場合、内蓋板３０及び外蓋板４０は胴部１０の開口部のほぼ全面を閉鎖する大きさに形成され、外蓋板４０と胴部１０の開口部との間の隙間が、内蓋板３０の先端部両側部に形成した易折曲片３２により塞がれるため、外蓋板４０と胴部１０の開口部との間の隙間から異物が侵入することがないように構成されている。
本考案の第二の実施の形態に係る包装箱の組み立て方法、使用方法及び廃棄方法は、第一の実施の形態に係る包装箱と同様であるので、その説明は省略する。
【図面の簡単な説明】
【００３９】
【図１】第一の実施の形態に係る包装箱を形成するシート材の展開図である。
【図２】図１に示すシート材を折り曲げて、組み立てた状態の包装箱の斜視図である。
【図３】図２に示す包装箱を使用後、一対の蓋板を開放して、扁平に折り畳む前の状態を示す斜視図である。
【図４】図３に示す一対の蓋板を開放した状態の包装箱を、廃棄できるように扁平状に折り畳んだ状態を示す斜視図である。
【図５】第二の実施の形態に係る包装箱を形成するシート材の展開図である。
【図６】図５に示すシート材を折り曲げて、組み立てた状態の包装箱の斜視図である。
【図７】図６に示す包装箱を使用後、一対の蓋板を開放して、扁平に折り畳む前の状態を示す斜視図である。
【図８】図７に示す一対の蓋板を開放した状態の包装箱を、廃棄できるように扁平状に折り畳んだ状態を示す斜視図である。
【符号の説明】
【００４０】
１０  胴部
１１  前側板（側板）
１２  後側板（側板）
１３  右側板（側板）
１３ａ  右側板折込片
１４  左側板（側板）
１４ａ  左側板折込片
１５  貼着板
１６  胴部折目
１７  側板折込片折目
２１  蓋部
２２  差込部
２３  ジッパー部
２４  貼着部
２５  開封用破断線
２６  蓋部折目
２７  折り重ね部折目
３０  内蓋板
３１  内蓋板折目
３２  易折曲片
３３  易折曲線
４０  外蓋板
４０ａ  側縁
４１  外蓋板折目
４２  外蓋切れ残り部
４３  切開用破断線
４４  押切部
４５  押切用破断線
４６  押切部折目
５０  指掛け用切欠部
【図１】
0003120064.tif 000003
【図２】
0003120064.tif 000004
【図３】
0003120064.tif 000005
【図４】
0003120064.tif 000006
【図５】
0003120064.tif 000007
【図６】
0003120064.tif 000008
【図７】
0003120064.tif 000009
【図８】
0003120064.tif 000010